(57)【要約】      （修正有）【課題】同構造の別の本体部を用い、二体の本体部で容易に両面同時焼き調理が可能な二段式加熱調理具を形成することができる加熱調理具を提供する。【解決手段】本体部１の上端部に本体部１を同構造の別の本体部１’に吊下連結するための上側連結スライド係合部５が設けられ、下端部に本体部１に同構造の別の本体部１’を吊下連結するための下側連結スライド係合部６が設けられており、下側連結スライド係合部６に同構造の別の本体部１’に設けられた上側連結スライド係合部５をスライド係合させることで、この本体部１と同構造の別の本体部１’との連結境界部に外部へ熱を逃がしてしまうような隙間を形成することなく、この本体部１に同構造の別の本体部１’を吊下連結することができるように構成される加熱調理具。【選択図】図４
2019092913.tif 000002
【特許請求の範囲】
【請求項１】
本体部と、この本体部を支持する脚部と、前記本体部に設けられ加熱調理する食材が載置される食材用載置部と、食材を加熱する熱源が載置される熱源用載置部とを具備する加熱調理具であって、前記本体部は、上端部に該本体部を同構造の別の本体部に吊下連結するための上側連結スライド係合部が設けられ、下端部に該本体部に同構造の別の本体部を吊下連結するための下側連結スライド係合部が設けられており、前記下側連結スライド係合部に同構造の別の本体部に設けられた上側連結スライド係合部をスライド係合させることで、この本体部と前記同構造の別の本体部との連結境界部に外部へ熱を逃がしてしまうような隙間を形成することなく、この本体部に前記同構造の別の本体部を着脱自在に吊下連結することができるように構成されていて、前記脚部で支持されている前記本体部の下側連結スライド係合部に、同構造の別の本体部の上側連結スライド係合部をスライド係合させて、前記本体部の下方に前記同構造の別の本体部を吊下連結させることで、前記本体部と前記同構造の別の本体部との連結境界部からの熱漏れを可及的に抑制しながら、前記同構造の別の本体部に設けられた食材用載置部上に載置された食材を、前記本体部の熱源用載置部の熱源と前記同構造の別の本体部の熱源用載置部の熱源とで上下から加熱し得るように構成されていることを特徴とする加熱調理具。
【請求項２】
前記上側連結スライド係合部と前記下側連結スライド係合部の一方がスライド部に形成され、他方がこのスライド部を摺動可能に保持するレール部に形成されていることを特徴とする請求項１記載の加熱調理具。
【請求項３】
前記本体部は、左右側面部に夫々脚部取付部が設けられていて、この脚部取付部に前記脚部が着脱自在に設けられる構成とされて、この脚部が取り付けられた状態においてこの本体部の底部下方に同構造の別の本体部を吊下連結し得る空間が形成されるように構成されていることを特徴とする請求項１，２のいずれか１項に記載の加熱調理具。
【請求項４】
前記本体部は、正面開口部が形成されていて、この正面開口部を開閉自在に閉塞する正面扉部が設けられていることを特徴とする請求項１〜３のいずれか１項に記載の加熱調理具。
【請求項５】
前記本体部は、底部開口部が形成されていて、この底部開口部を閉塞するようにして前記熱源用載置部が着脱自在に設けられていることを特徴とする請求項１〜４のいずれか１項に記載の加熱調理具。
【発明の詳細な説明】
【技術分野】
【０００１】
本発明は、例えば、アウトドアレジャーでの使用に適するバーベキューコンロ（グリル）等の加熱調理具に関するものである。
【背景技術】
【０００２】
従来の一般的なバーベキューコンロ（グリル）は、本体部が箱状に形成され、この箱状本体部内の底部側に木炭などの熱源をセットする熱源載置部が設けられ、この熱源載置部の上方（本体部の上部）に食材を載置する焼き網や鉄板などの食材用載置部が設けられる構成とされている。
【０００３】
したがって、このような従来のバーベキューコンロ（グリル）は、下方側からの熱源による片面加熱調理方式であるから、両面焼きが必要な食材は、食材を片面ずつひっくり返して焼き調理することとなる。
【０００４】
しかしながら、このような両面焼きが必要な食材（調理品）のなかには、ピザのように上面に別の食材が載せられた（トッピングされた）ものもあり、このようなものは、ひっくり返すと上面に載せた食材がこぼれ落ちてしまうことから片面ずつひっくり返して焼き調理をすることができない。
【０００５】
よって、この片面ずつひっくり返して焼き調理することができない食材を調理する場合には、上下方向に二つの熱源が配置されるバーベキューコンロ（グリル）が必要となるが、この片面ずつひっくり返して焼き調理することができない食材は、それほど多くあるものではなく、よって、バーベキューを行い際に必ずこの上下方向に二つの熱源が配置されるバーベキューコンロ（グリル）が必要となる訳ではない。
【０００６】
したがって、両面同時に焼き調理が必要となった場合に熱源を上下方向に配置して上下方向から同時に焼き調理することができるバーベキューコンロ（グリル）があることが理想であるが、従来、キャンプ等に用いる組立式のバーベキューコンロ（グリル）においては、このようなものは提案されていない。
【０００７】
ところで、キャンプ、バーベキュー等のアウトドアレジャーを趣味とする人の中には、個人で複数台のバーベキューコンロ（グリル）を所有し、この複数台のバーベキューコンロ（グリル）を用いて、様々な料理を作って楽しむ人も少なくない。
【発明の概要】
【発明が解決しようとする課題】
【０００８】
本発明者は、上述した両面同時焼き調理が必要となった場合に熱源を上下方向に配置して上下方向から同時に焼き調理することができるバーベキューコンロ（グリル）の提供が望まれている点と、個人で複数台のバーベキューコンロ（グリル）を所有するものが多いことに鑑み、別のバーベキューコンロ（グリル）の本体部を、下方に吊下連結可能とするための上側連結スライド係合部と下側連結スライド係合部を本体部に備え、個々で使用する場合は、従来と同様、本体部の下方側（底部）にセットした熱源による片面加熱調理方式の加熱調理具であり、ピザ等の片面ずつひっくり返して焼き調理することが難しい食材を調理するために上下方向に二つの熱源が配置されるバーベキューコンロ（グリル）が必要となった場合に、本体部の下側連結スライド係合部にもう一台の本体部の上側連結スライド係合部をスライド係合させてもう一方の本体部を吊下連結して、上側の本体部の熱源と、吊下連結した下側の本体部の熱源とで上下方向から同時に加熱することができる本発明の加熱調理具を完成させた。
【０００９】
すなわち、本発明は、上下方向に二つの熱源が配置される加熱調理具が必要となった場合に、もう一台の加熱調理具の本体部を下方に吊下連結して両面同時焼き調理が可能な二段式加熱調理具を形成することができる加熱調理具を提供することを目的とする。
【課題を解決するための手段】
【００１０】
添付図面を参照して本発明の要旨を説明する。
【００１１】
本体部１と、この本体部１を支持する脚部２と、前記本体部１に設けられ加熱調理する食材が載置される食材用載置部３と、食材を加熱する熱源が載置される熱源用載置部４とを具備する加熱調理具であって、前記本体部１は、上端部に該本体部１を同構造の別の本体部１’に吊下連結するための上側連結スライド係合部５が設けられ、下端部に該本体部１に同構造の別の本体部１’を吊下連結するための下側連結スライド係合部６が設けられており、前記下側連結スライド係合部６に同構造の別の本体部１’に設けられた上側連結スライド係合部５をスライド係合させることで、この本体部１と前記同構造の別の本体部１’との連結境界部に外部へ熱を逃がしてしまうような隙間を形成することなく、この本体部１に前記同構造の別の本体部１’を着脱自在に吊下連結することができるように構成されていて、前記脚部２で支持されている前記本体部１の下側連結スライド係合部６に、同構造の別の本体部１’の上側連結スライド係合部５をスライド係合させて、前記本体部１の下方に前記同構造の別の本体部１’を吊下連結させることで、前記本体部１と前記同構造の別の本体部１’との連結境界部からの熱漏れを可及的に抑制しながら、前記同構造の別の本体部１’に設けられた食材用載置部３上に載置された食材を、前記本体部１の熱源用載置部４の熱源と前記同構造の別の本体部１’の熱源用載置部４の熱源とで上下から加熱し得るように構成されていることを特徴とする加熱調理具に係るものである。
【００１２】
また、前記上側連結スライド係合部５と前記下側連結スライド係合部６の一方がスライド部に形成され、他方がこのスライド部を摺動可能に保持するレール部に形成されていることを特徴とする請求項１記載の加熱調理具に係るものである。
【００１３】
また、前記本体部１は、左右側面部に夫々脚部取付部７が設けられていて、この脚部取付部７に前記脚部２が着脱自在に設けられる構成とされて、この脚部２が取り付けられた状態においてこの本体部１の底部下方に同構造の別の本体部１’を吊下連結し得る空間が形成されるように構成されていることを特徴とする請求項１，２のいずれか１項に記載の加熱調理具に係るものである。
【００１４】
また、前記本体部１は、正面開口部が形成されていて、この正面開口部を開閉自在に閉塞する正面扉部８が設けられていることを特徴とする請求項１〜３のいずれか１項に記載の加熱調理具に係るものである。
【００１５】
また、前記本体部１は、底部開口部が形成されていて、この底部開口部を閉塞するようにして前記熱源用載置部４が着脱自在に設けられていることを特徴とする請求項１〜４のいずれか１項に記載の加熱調理具に係るものである。
【発明の効果】
【００１６】
本発明は上述のように構成したから、上下方向に二つの熱源が配置される加熱調理具が必要となった場合に、同構造の別の本体部を下方に吊下連結して両面同時焼き調理が可能な二段式加熱調理具を形成することができる加熱調理具となる。
【図面の簡単な説明】
【００１７】
【図１】本実施例を示す正面側斜視図である。
【図２】本実施例を示す背面側斜視図である。
【図３】本実施例を示す分解斜視図である。
【図４】本実施例の二段式加熱調理具を示す説明斜視図である。
【図５】本実施例の二段式加熱調理具を示す斜視図である。
【図６】本実施例の二段式加熱調理具を示す正面図である。
【図７】本実施例の二段式加熱調理具を示す正断面図である。
【図８】本実施例の二段式加熱調理具を要部拡大説明図である。
【図９】本実施例の二段式加熱調理具を示す側断面図である。
【図１０】本実施例の二段式加熱調理具の使用時における内部構造を示す説明斜視図である。
【発明を実施するための形態】
【００１８】
好適と考える本発明の実施形態を、図面に基づいて本発明の作用を示して簡単に説明する。
【００１９】
本発明の加熱調理具の本体部１と同構造の別の本体部１’を一体用意し、本発明の本体部１、すなわち、脚部２に支持され地面に対して浮上状態に設置される本体部１の下部に設けられた下側連結スライド係合部６に、別途用意した同構造の別の本体部１’の上部に設けられた上側連結スライド係合部５をスライド係合させると、この脚部２に支持され地面に対して浮上状態に設置される本体部１に、この本体部１と同構造の別の本体部１’が、連結境界部において外部へ熱を逃がしてしまうような隙間を形成することなく着脱自在に吊下連結されて、二体の本体部１、１’で構成される二段式加熱調理具が形成される。
【００２０】
すなわち、本発明は、本体部１の下側に同構造の別の本体部１’を、下側連結スライド係合部６と上側連結スライド係合部５とのスライド係合により連結して簡易に二段式加熱調理具を形成することができ、この二体の本体部１，１’からなる二段式加熱調理具は、上側の本体部１の下部側に設けられる熱源用載置部４にセットされた熱源と、下側の本体部１’の下部側に設けられる熱源用載置部４にセットされた熱源とにより、上下方向に二つの熱源が間隔をおいて配置される加熱調理具となり、この上下方向に配置される二つの熱源の間、例えば、下側の本体部１’内に設けられた食材用載置部３に食材をセットすることで、この食材を上下方向に配置される二つの熱源で両面同時に焼き調理することができる。
【００２１】
また、本発明は、このように同構造の別の本体部１’を吊下連結して二段式加熱調理具にした場合でも、上側の本体部１の熱源用載置部４の上方に食材用載置部３をセットし、この食材用載置部３に食材をセットすれば、上側の本体部１で従来のバーベキューコンロ（グリル）と同様の片面焼き調理ができるので、上側の本体部１で従来通りの片面焼き調理をしながら、下側の別の本体部１’でピザ等の片面ずつひっくり返して焼き調理することができない食材を両面同時に焼き調理することができる。
【００２２】
このように、本発明は、必要の際に同構造の別の本体部１’を吊下連結して、上下方向に二つの熱源が配置される二段式加熱調理具を容易に形成することができ、従来の加熱調理具（バーベキューコンロ（グリル））では調理が難しかった片面ずつひっくり返して焼き調理することができない食材も容易に調理することができ、より一層バーベキューを楽しむことができる実用性に優れた画期的な加熱調理具となる。
【実施例】
【００２３】
本発明の具体的な実施例について図面に基づいて説明する。
【００２４】
本実施例は、本体部１と、この本体部１を支持する脚部２と、前記本体部１に設けられ加熱調理する食材が載置される食材用載置部３と、食材を加熱調理する際の熱源が載置される熱源用載置部４とから成る加熱調理具であり、例えば、キャンプ等のアウトドアレジャーでの使用に適するバーベキューコンロ（グリル）等に構成される加熱調理具である。
【００２５】
具体的には、本実施例は、更に、本体部１の上部に開口する上部開口部を開閉自在に閉塞する蓋部９を具備し、オーブンとしても使用可能なバーベキューグリルに構成されるものである。
【００２６】
更には、本実施例は、本体部１の下方に、この本体部１と同構造の別の本体部１’（以下、単に本体部１’と示す）を連結し得る構成とされ、この本体部１に本体部１’を連結させることで上下方向に二つの熱源を有する二段式加熱調理具を形成することができるように構成されている。
【００２７】
すなわち、本実施例は、本実施例単体で使用する場合は、本体部１の下部側（底部側）に設けられる熱源用載置部４にセットした熱源で、この上方にセットした食材用載置部３に載置した食材を片面ずつ焼き調理する従来のバーベキューグリルと同様の加熱調理具であるが、上下方向に二つの熱源が配置される二段式加熱調理具が必要となった場合に、本体部１’を用い、この本体部１’を本体部１の下方に吊下連結することで、上側の本体部１に設けられる熱源と、下側の本体部１’に設けられる熱源との上下方向に二つの熱源が配置される二段式加熱調理具を容易に形成することができるように構成される加熱調理具である。
【００２８】
以下、本実施例の構成各部について詳述する。
【００２９】
本実施例の本体部１は、方形箱状に形成されると共に、上面部、底面部及び正面部に開口部が形成される構成とされ、上面部に形成される上部開口部は、蓋部９により開閉自在に閉塞され、また、底面部に形成される底面開口部は、熱源用載置部４により開閉自在に閉塞され、また、正面部に形成される正面開口部は、正面扉部８により開閉自在に閉塞されている。
【００３０】
すなわち、本実施例は、本体部１に本体部１’を吊下連結して二段式加熱調理具に形成した際、下側に位置する本体部１（本体部１’）は、上方がもう一方の本体部１で上部開口部が閉塞されていて、上部開口部からの食材の出し入れや熱源管理などの作業ができないため、下側に位置する本体部１’は、この正面扉部８を開け、正面開口部を通じて、本体部１（本体部１’）内に食材を出し入れしたり調理作業をしたり、或いは熱源管理を行うことができるように構成されていている。
【００３１】
尚、本実施例では、熱源用載置部４は、網状に形成されるロストル部４Ａと、このロストル部４Ａを支持するトレー部４Ｂとで構成され、トレー部４Ｂで底面開口部を閉塞するように構成されている。
【００３２】
また、本体部１の上端部には、本体部１’に吊下連結するための上側連結スライド係合部５が設けられ、下端部には、この本体部１に本体部１’を吊下連結するための下側連結スライド係合部６が設けられている。
【００３３】
具体的には、上側連結スライド係合部５は、本体部１の左右両側の上端部に夫々設けられていて、また、下側連結スライド係合部６は、本体部１の左右両側の下端部に夫々設けられている。
【００３４】
より具体的には、上側連結スライド係合部５と下側連結スライド係合部６の一方はスライド部に形成され、他方はこのスライド部を摺動可能に保持するレール部に形成されていて、本実施例では、上側連結スライド係合部５がスライド部５に形成され、下側連結スライド係合部６がレール部６に形成されている。
【００３５】
より具体的には、スライド部５に形成される上側連結スライド係合部５は、本体部１の側面部の上縁部から水平方向に突設される水平片部５Ａと、この水平片部５Ａの先端に垂設される垂下片部５Ｂからなる鉤状に形成され、本体部１の長手方向（奥行き方向）、すなわち、本体部１の正面部ら背面部に亘って延設されていて、垂下片部５Ｂの先端が下側連結スライド係合部６を摺動するように構成されている。
【００３６】
また、下側連結スライド係合部６は、上述した鉤状に形成されるスライド部５（上側連結スライド係合部５）を収納するように逆コ字状に形成され、本体部１の長手方向（奥行き方向）、すなわち、本体部１の正面部ら背面部に亘って延設されていて、底部６Ａが上述したスライド部５の摺動部（摺動面）となる構成とされている。
【００３７】
すなわち、本実施例は、このレール部６（下側連結スライド係合部６）の底部６Ａ上に、本体部１’のスライド部５（上側連結スライド係合部５）の垂下片部５Ｂが載置係合することで、本体部１’との連結境界部に隙間を形成することなく、この本体部１’を本体部１の下方側に吊下連結することができるように構成されている。
【００３８】
また、本実施例のレール部６は、本体部１の背面部に設けられる背面側ストッパー部10により奥側（背面部側）の開口部が覆われている構成とされ、本実施例は、この背面側ストッパー部10によりスライド部５（上側連結スライド係合部５）の本体部背面側への突き出し、すなわち、本体部１’が奥側へ移動しすぎて上側の本体部１に対して奥側に突き出てしまったり奥側から脱落してしまうことを防止すると共に、本体部１と本体部１’とが連結される連結境界部の背面側に形成される隙間を覆い、この隙間からの熱漏れを防止するように構成されている。
【００３９】
また、本実施例のレール部６は、正面側の開口部も背面側同様、ストッパー部で覆われ、このレール部６にスライド係合したスライド部５の手前側（正面側）への移動、脱落を防止するように構成されている。
【００４０】
具体的には、本実施例では、本体部１の正面部に設けられる正面扉部８により手前側（正面部側）の開口部が開閉自在に閉塞されるように構成され、この正面扉部によりこのレール部６にスライド係合したスライド部５（上側連結スライド係合部５）の手前側（正面部側）への移動を抑制する構成とされている。
【００４１】
すなわち、本実施例は、本体部１の正面部に設けられる正面扉部８が、本体部１の正面部に形成される正面開口部と、この正面開口部の下側に位置するレール部６の正面開口部との両方を閉塞するように構成されており、レール部６にスライド部５をスライド係合させる際は、正面扉部８を開き状態にしてレール部６の正面側開口部を開口させてスライド部５をレール部６にスライド係合させ、このレール部６にスライド部５をスライド係合させた後、すなわち、本体部１に本体部１’を吊下連結させた後、正面扉部を閉じることで、レール部６の正面側開口部が正面扉部８により閉塞され、スライド部５が手前側に移動しようとすると本体部１’の正面側の天板11が正面扉部８に当接し、この天板11が正面扉部８にと右折することでスライド部５の手前側（正面部側）への移動が阻止され、本体部１に吊下連結された本体部１’の手前側（正面部側）への移動、脱落が生じないように構成されている。
【００４２】
また更に、本実施例は、前述した背面側同様、正面側も本体部１’を吊下連結した際に、本体部１と本体部１’とが連結される連結境界部の正面側に隙間が形成されるが、本体部１の正面開口部及びレール部６の正面側開口部を閉塞する正面扉部８が、この正面側に形成される隙間も閉塞するように構成されていて、この正面扉部により正面側に形成される隙間からの熱漏れを防止するように構成されている。
【００４３】
尚、上側連結スライド係合部５及び下側連結スライド係合部６の構造は、上記に限られるものではなく、本実施例の作用効果を奏するスライド係合可能な構造であれば、適宜採用可能なものとする。
【００４４】
また、本実施例の本体部１は、側面部内側に複数の支持レール部12が設けられていて、この支持レール部12で食材用載置部３や熱源用載置部４を高さ位置調整自在に支持する構成とされている。
【００４５】
具体的には、本実施例においては、本体部１の上段、中段、下段の三箇所に支持レール部12が設けられており、上段支持レール部12Ａ、中段支持レール部12Ｂは、主に食材用載置部３を支持し、下段支持レール部12Ｃは、主に熱源用載置部４を支持することを目的に設けられている。
【００４６】
また、本実施例の本体部１は、左右側面部に夫々脚部取付部７が設けられていて、この脚部取付部７に取り付けられる脚部２に支持される構成とされ、また、この脚部取付部７に脚部２を取り付けた状態において、この本体部１の底部下方に本体部１’を吊下連結し得る空間が形成されるように構成されている。
【００４７】
具体的には、本実施例の本体部１は、四本の脚部２で支持される構成とされ、脚部取付部７は、左右側面部に夫々二つずつ設けられている。
【００４８】
より具体的には、本実施例の脚部取付部７は、この脚部取付部７に脚部２を取り付けた際、脚部２が外側に向かって下がり傾斜状態に取り付けられるように構成されており、本体部１の下方に本体部１’を連結する際、この脚部取付部７に取り付けられた脚部２が干渉することなく容易にこの本体部１’を連結することができるように構成されている。
【００４９】
また、この脚部取付部７に取り付けられ本体部１を支持する脚部２は、脚部取付部７に差し込み係止して取り付ける構成とされている。
【００５０】
具体的には、本実施例の脚部２は、図示されていなが、差し込み部となる上端部に突没自在な抜け止め係止部が設けられていて、この抜け止め係止部を没入状態にしてこの脚部２の差し込み部となる上端部を脚部取付部７に差し込むと、所定位置で抜け止め係止部の没入が解除されて突出状態になり、この突出した抜け止め係止部が脚部取付部７と抜け止め係合し、脚部取付部７に対して離脱となるように構成されている。
【００５１】
また、本実施例の各脚部２は、図示するように、二本の分割（分離）可能な構成とされ、収納時、コンパクトな収納形態とすることができるように構成されている。
【００５２】
以上のように構成される本実施例の作用効果について以下に説明する。
【００５３】
本実施例を二段式加熱調理具に形成する場合は、脚部２で支持される本体部１の正面扉部８を開き状態にして、レール部６の正面側開口部を開口し、このレール部６（下側連結スライド係合部６）に、用意した本実施例の本体部１と同構造の別の本体部１’の上端部に設けられるスライド部５（上側連結スライド係合部５）をスライド係合させて、本体部１に本体部１’を吊下連結させる。
【００５４】
この本体部１に本体部１’を吊下連結させる際、言い換えると上側に位置する本体部１のレール部６に下側に位置する本体部１’のスライド部５をスライド係合させる際、本体部１の背面側に設けられる背面側ストッパー部10に、本体部１’の上部に設けられる背面側の天板11が当接するまで本体部１’を押し込み移動させることで、本体部１’の正面部と上側の本体部１の正面部とが面一状態に位置決めされる。
【００５５】
この本体部１と本体部１’とが位置決めされた状態で、本体部１の正面扉部８を閉じ、レール部６の正面側開口部を閉塞することで、レール部６にスライド係合するスライド部５が移動不能になり、これにより、本体部１に対して本体部１’が位置決め固定状態で吊下連結され、二段式加熱調理具を形成することができる。
【００５６】
また、前述したように、本実施例の本体部１（本体部１’）は、上面部及び底面部に開口部（上部開口部及び底部開口部）が形成されているので、このように、脚部２に支持される本体部１に用意したもう一つの本体部１’を吊下連結して二段式加熱調理具を形成した際、二段式固定装置を形成する上側の本体部１と下側の本体部１’は、図示するように、内部が連通状態となり、上側の本体部１の熱源用載置部４にセットされる熱源の加熱作用が、下側の本体部１’内に良好に作用することとなる。
【００５７】
これにより、図示するように、下側の本体部１’の中段支持レール部12Ｂに食材用載置部３をセットし、その下の下段支持レール部12Ｃに熱源用載置部４をセットすれば、本体部１’の中段支持レール部12Ｂにセットした食材用載置部３に載置した食材は、本体部１の熱源により上側面が焼き調理され、同時に本体部１’の熱源により下側面が焼き調理されることとなり、ひっくり返さなくても両面焼き調理することができることとなる。
【００５８】
また、図示するように、本体部１の上段支持レール部12Ａ（中段支持レール部12Ｂでも良い）に食材用載置部３をセットすれば、本体部１は、従来のバーベキューグリルと同様の片面焼き調理ができることとなる。
【００５９】
すなわち、本実施例の加熱調理具により形成される二段加熱調理具は、ピザ等の片面ずつひっくり返して焼き調理することが難しい食材を下側の本体部１’で調理しながら、上側の本体部１では、従来通りのバーベキューを行うことができる。
【００６０】
また、本実施例により形成される二段式加熱調理具は、図示するように、本体部１と本体部１’とが連結される連結境界部において、側面部のスライド部５とレール部６とがスライド係合する連結境界部は、レール部６の底部６Ａにスライド部５の垂下片部５Ｂが載置することで隙間が形成されず、また、正面側に形成される隙間は、正面扉部８により閉塞され、背面側に形成される隙間は背面側ストッパー部10により閉塞されるので、本体部１と本体部１’とが連結される連結境界部に隙間が形成されず、内部からの熱漏れが可及的に低減され、効率よく焼き調理することができる。
【００６１】
このように、本実施例は、極めて簡易に二段式加熱調理具を形成することができ、様々な食材を効率よく調理することができるので、より一層キャンプやバーベキュー等のアウトドアレジャーを楽しむことができる。
【００６２】
しかも、本実施例により形成される二段式加熱調理具は、本体部１と本体部１’との連結境界部に隙間が殆ど生じないので、上側の本体部１の熱源の熱が下側の本体部１’に良好に作用するので、両面焼き調理も良好に行うことができ、極めて実用性に優れた従来に無い画期的な加熱調理具となる。
【００６３】
尚、本発明は、本実施例に限られるものではなく、各構成要件の具体的構成は適宜設計し得るものである。
【符号の説明】
【００６４】
１，１’  本体部
２  脚部
３  食材用載置部
４  熱源用載置部
５  上側連結スライド係合部
６  下側連結スライド係合部
７  脚部取付部
８  正面扉部
【図１】
2019092913.tif 000003
【図２】
2019092913.tif 000004
【図３】
2019092913.tif 000005
【図４】
2019092913.tif 000006
【図５】
2019092913.tif 000007
【図６】
2019092913.tif 000008
【図７】
2019092913.tif 000009
【図８】
2019092913.tif 000010
【図９】
2019092913.tif 000011
【図１０】
2019092913.tif 000012